(57)【特許請求の範囲】
【請求項１】
所要数の蓄電要素を備える蓄電装置において、絶縁板の開口部に１対の係合溝を介して一方向へ移動可能な複数の直方体状のコマを隣接配置する一方、隣接する蓄電要素の電極の同極どうしをコマの座面に重ね合わせると共に、隣接するコマに跨る連結板の締着により重合電極の異極どうしを接続したことを特徴とする蓄電装置の電極構造。
【請求項２】
コマにおける１対の係合溝は、片方が絶縁板の開口部へのもう片方の係合に余裕を与えるような深さに設定され、この余裕に制限を加えて絶縁板の開口部からコマが脱落するのを阻止する手段を備えたことを特徴とする請求項１の記載に係る蓄電装置の電極構造。
【請求項３】
コマの脱落を阻止する手段として連結板の締着用ボルトが用いられ、余裕を持つ係合溝を深さ方向に対する直交方向へ貫通するように配置したことを特徴とする請求項２の記載に係る蓄電装置の電極構造。
【請求項４】
コマの脱落を阻止する手段として連結板が用いられ、これにコマの係合溝に沿う移動方向に対する直交方向への動きを絶縁板の開口部との間で規制する突起形状を設けたことを特徴とする請求項２の記載に係る蓄電装置の電極構造。
【請求項５】
絶縁板の開口部にコマの係脱自在な幅広部が設けられ、絶縁体の開口部に移動可能な係合状態のコマがこの幅広部に位置するのを規制する設定に連結板を形成したことを特徴とする請求項１の記載に係る蓄電装置の電極構造。
【請求項６】
各コマに対する連結板の締着点よりも端寄りの位置にそれぞれノッチを配置したことを特徴とする請求項１の記載に係る蓄電装置の電極構造。
【請求項７】
コマの座面の両肩を斜めに切除してテーパ部を形成する一方、このテーパ部が嵌合する凹部に連結板の合わせ面を形成したことを特徴とする請求項１の記載に係る蓄電装置の電極構造。
【請求項８】
蓄電要素としてキャバシタを用いたことを特徴とする請求項１の記載に係る蓄電装置の電極構造。
【発明の詳細な説明】
【０００１】
【発明の属する技術分野】
この発明は、所要数の蓄電要素を備える蓄電装置の電極構造に関する。
【０００２】
【従来の技術】
蓄電装置において、外装容器（ケース）に多数のコンデンサ素子を積層状に収容したものがある（特開平１０−５０５５５号、参照）。容器に１対の電極端子が配置され、隣接するコンデンサ素子から構成される基本セルについて、各電極は同極どうしに束ねられ、容器の各電極端子（陽極端子と陰極端子）に接続される。各電極を束ねる先端部に穴が設定され、これを電極端子の接続部に挿通し、金属製のＯリングを嵌め付け、中空の接続部をカシメることにより、電極端子に各セルの電極を連結する構造になっている。
【０００３】
【発明が解決しようとする課題】
このような従来例においては、電極端子に各電極を所定の締付力（面圧）にカシメるのが難しく、また各電極と電極端子との距離（延長リードの長さ）が異なり、各端子電圧にバラツキを生じやすい。容量が一定の蓄電要素を用いる場合、所要容量の蓄電装置を構成するため、多数の蓄電要素を並列および直列の組み合わせにより接続することが考えられるが、既述の開示内容においては、適確な対応が容易でない。
【０００４】
この発明は、蓄電装置を所要容量に構成するため、多数の蓄電要素を並列および直列の組み合わせにより接続する場合に有効な電極構造の提供を目的とする。
【０００５】
【課題を解決するための手段】
第１の発明では、所要数の蓄電要素を備える蓄電装置において、絶縁板の開口部に１対の係合溝を介して一方向へ移動可能な複数の直方体状のコマを隣接配置する一方、隣接する蓄電要素の電極の同極どうしをコマの座面に重ね合わせると共に、隣接するコマに跨る連結板の締着により重合電極の異極どうしを接続したことを特徴とする。
【０００６】
第２の発明では、第１の発明に係る蓄電装置の電極構造において、コマにおける１対の係合溝は、片方が絶縁板の開口部へのもう片方の係合に余裕を与えるような深さに設定され、この余裕に制限を加えて絶縁板の開口部からコマが脱落するのを阻止する手段を備えたことを特徴とする。
【０００７】
第３の発明では、第２の発明に係る蓄電装置の電極構造において、コマの脱落を阻止する手段として連結板の締着用ボルトが用いられ、余裕を持つ係合溝を深さ方向に対する直交方向へ貫通するように配置したことを特徴とする。
【０００８】
第４の発明では、第２の発明に係る蓄電装置の電極構造において、コマの脱落を阻止する手段として連結板が用いられ、これにコマの係合溝に沿う移動方向に対する直交方向への動きを絶縁板の開口部との間で規制する突起形状を設けたことを特徴とする。
【０００９】
第５の発明では、第１の発明に係る蓄電装置の電極構造において、絶縁板の開口部にコマの係脱自在な幅広部が設けられ、絶縁体の開口部に移動可能な係合状態のコマがこの幅広部に位置するのを規制する設定に連結板を形成したことを特徴とする。
【００１０】
第６の発明では、第１の発明に係る蓄電装置の電極構造において、コマに対する連結板の締着点よりも端寄りの位置にそれぞれノッチを配置したことを特徴とする。
【００１１】
第７の発明では、第１の発明に係る蓄電装置の電極構造において、コマの座面の両肩を斜めに切除してテーパ部を形成する一方、このテーパ部が嵌合する凹部に連結板の合わせ面を形成したことを特徴とする。
【００１２】
第８の発明では、第１の発明に係る蓄電装置の電極構造において、蓄電要素としてキャバシタを用いたことを特徴とする。
【００１３】
【発明の効果】
第１の発明〜第８の発明では、隣接する蓄電要素は、各電極の同極どうしをコマの座面に重ね合わせることにより、互いに並列の接続状態となり、コマに跨る連結板を締着することにより、これら並列状態の前後が直列に接続される。コマの絶縁板への組み付け（係止溝に開口部を係合する）およびコマに対する連結板の締着により、並列と直列を組み合わせる接続状態が容易に得られる。また、連結板の締着力により、電極間の接触抵抗も小さく抑えられ、各蓄電要素の電極長（コマへの延び量）も均等化されるので、品質（容量のバラツキなどの面）が向上する。また、部品（コマと連結板など）数が少なく、コスト的な利点も得られる。
【００１４】
第２の発明〜第５の発明では、コマの組み付けが容易になり、組み付け後はコマ間の動きが固定され、これらの脱落も適確に規制できる。
【００１５】
第６の発明または第７の発明では、ノッチまたはテーパ面により、重合電極に連結板の締着力が有効に与えられ、これらの接触抵抗を効率よく低減できる。
【００１６】
第８の発明では、所要数のキャパシタにより、容量の大きな蓄電装置を実現可能となる。
【００１７】
【発明の実施の形態】
図１〜図４は第１の実施形態を表すものであり、ケース１（外装容器）に多数のキャパシタ２が積層状に収容される。ケース１上面はキャパシタ２の出し入れのために開放され、この開放口を仕切る絶縁板３が設けられる。絶縁板３は、カバー４と共にビスでケース１上面の開放縁に取り付けられる。そして、キャパシタ２の電極（陽極および陰極）を後述のように接続するため、絶縁板３にコマ５および連結板６が組み付けられる。
【００１８】
絶縁板３は、図２のように矩形状の開口部７がキャパシタ２の積層方向へこれらの両側の電極８に１列ずつ対応するように形成される。この場合、各列の開口部７は、１つの開口部７にキャパシタ２の積層方向へ並ぶ４枚の電極８が位置すると、その反対側においては、同じキャパシタ２の積層方向へ並ぶ４枚の電極８が２つの開口部７に２枚ずつ位置するように設定される。
【００１９】
コマ５は略直方体状に形成され、長手方向の両端面に係合溝９が形成される。図３および図４において、コマ５は絶縁板３の開口部７に２個ずつそれぞれ両端の係合溝９を介して一方向（キャパシタ２の積層方向）へ移動可能に組み付けられる。各コマ５の係合溝９については、片方９ａが開口部７の縁へのもう片方の係合に余裕を与える深さに設定され、開口部７に移動可能な係合状態のコマ５が脱落するのを阻止するため、連結板６の締着用ボルト１１が用いられ、余裕を持つ係合溝９ａを深さの直交方向へ貫通するように配置される。
【００２０】
絶縁板３の開口部７において、移動可能な各コマ５にそれぞれ両側からキャパシタ２の片側に位置する電極が座面（コマの上面）で重なり合うように掛けられる。この場合、所要数のキャパシタ２は、図１１のように隣接する２つが並列に接続され、これら（２つ１組）がさらに連結板６を介して直列に接続される。つまり、１つの開口部７において、１つのコマ５に１組のキャパシタ２における電極８の同極どうしが重ね合わせられ、もう１つのコマ５にもう１組のキャパシタ２における電極８の同極どうしが重ね合わせられ、２組の重合電極８ａ，８ｂが異極どうしに按配される。
【００２１】
連結板６は、絶縁板３の開口部７と略同形同大に形成され、長手方向の両端部に各コマ５のネジ穴に対応するボルト穴が設定される。そして、２つのコマ５に跨がる状態に設置され、４本の締着用ボルト１１により、各重合電極８ａ，８ｂを座面に締め付けるのである。この例においては、重合電極８ａ，８ｂにボルト１１の締着力が有効に働くよう、コマ５の座面両端にノッチ１０が設定される。このノッチ１０により、ボルト１１を締め付けると、連結板６がコマ５側へ反るようになり、ボルト１１の締着力を重合電極８ａ，８ｂへ集中させるため、電極間の接触抵抗が低減される。
【００２２】
このような構成により、所要数のキャパシタ２は、２つ１組ごとについて、隣接するキャパシタ２の同極どうしをコマ５の座面に重ね合わせることにより、互いに並列の接続状態となり、コマ５に跨る連結板６を締着することにより、さらにこれらを直列に接続できる。つまり、所要容量の蓄電装置を構成するため、ケース１に積層されるキャパシタ２に対し、コマ５の絶縁板３への組み付けや１組のコマ５に対する連結板６の締着により、これらを並列と直列を組み合わせる接続状態が容易に得られるのである。また、連結板６の締着力により、電極間の接触抵抗も小さく抑えられ、各キャパシタ２の電極長（コマへの延び量）も均等化されるので、品質（容量のバラツキなどの面）が向上する。しかも、コマ５と連結板６など部品数が少なく、コスト的な利点も得られる。
【００２３】
図５および図６は、第２の実施形態を表すものであり、コマ５に跨る連結板６は、絶縁板３の開口部７に対し、その横幅が略同等に設定され、コマ５の中間部（連結板６の中央部６ａ）が開口部７の内側へ進入するようＶ字形に形成される。そして、連結板６は長手方向の両端部において、コマ５の中央部に重合電極８ａ，８ｂを貫通するボルト１１により締め付けられる。
【００２４】
これによると、連結板６のＶ字形６ａにより、各コマ５の係合方向（係合溝９の深さ方向）への動きが規制される（係合溝９の片方９ａに設定の余裕に制限を加える）ため、簡単な構成により、コマ５の脱落を阻止できることになる。また、重合電極８ａ，８ｂの中央部をボルト１１で締め付けるので、電極間の接触面圧が良好に確保され、これらの接触抵抗を簡便に低減できる。
【００２５】
図７〜図９は、第３の実施形態を表すものであり、コマ５の係合溝９に余裕を設定する代わり、絶縁板３の開口部７において、コマ５が係脱自在な幅広部７ａが中央部に設定される。したがって、コマ５は絶縁板３への組み付けに際し、開口部７の幅広部７ａに位置させた状態で一方向（キャパシタ２の積層方向）へ水平に移動させると、両端の係合溝９に開口部７の縁が係合することになる。
【００２６】
開口部７に移動可能な係合状態のコマ５が幅広部７ａから脱落するのを阻止するのが連結板６であり、２つのコマ５を開口部７の所定位置に配置した状態で連結板６を各コマ５にボルト１１で締着することにより、コマ５の間隔が固定され、開口部７の中央部（幅広部７ａ）に位置するのが規制される。
【００２７】
図１０は、第４の実施形態を表すものであり、コマ５に座面の両肩を斜めに切除することによりテーパ部５ａが形成され、このテーパ部５ａが嵌合する凹部６ｂに連結板６の合わせ面（座面との対向面）が形成される。コマ５のテーパ部５ａと連結板６の凹部６ｂとの間に重合電極８ａ，８ｂを締め付けることにより、電極間の接触面積が拡大され、テーパ部５ａの凹部６ｂへの食い込みにより、電極間の面圧も大きくなるため、電極間の接触抵抗を効果的に低減できる。なお、図１０は、第３の実施形態における、コマ５および連結板６への適用を表す。
【００２８】
図５および図６、図７〜図９、図１０において、図１〜図４と実質的に同じ部品に同じ符号を付け、重複説明は最小限に留める。
【図面の簡単な説明】
【図１】第１の実施形態を表す蓄電装置の断面図である。
【図２】同じく絶縁板の説明図である。
【図３】同じく電極構造の断面図である。
【図４】同じくＡ−Ａ断面図である。
【図５】第２の実施形態を表す電極構造の断面図である。
【図６】同じくＢ−Ｂ断面図である。
【図７】第３の実施形態を表す絶縁板の説明図である。
【図８】同じく電極構造の断面図である。
【図９】同じくＣ−Ｃ断面図である。
【図１０】第４の実施形態を表す電極構造の断面図である。
【図１１】蓄電装置の内部配線図である。
【符号の説明】
２  キャパシタ
３  絶縁板
５  コマ
５ａ  テーパ部
６  連結板
６ａ  Ｖ字形中央部
６ｂ  凹部
７  開口部
７ａ  幅広部
８  電極
８ａ，８ｂ  重合電極
９，９ａ  係合溝
１０  ノッチ
１１  ボルト
【図１】
0003893017.tif 000002
【図２】
0003893017.tif 000003
【図３】
0003893017.tif 000004
【図４】
0003893017.tif 000005
【図５】
0003893017.tif 000006
【図６】
0003893017.tif 000007
【図７】
0003893017.tif 000008
【図８】
0003893017.tif 000009
【図９】
0003893017.tif 000010
【図１０】
0003893017.tif 000011
【図１１】
0003893017.tif 000012